(57)【要約】      （修正有）【課題】浄化工程を即時に開始できるスマート空気清浄機を提供する。【解決手段】本体と、感知器と、浄化モジュールと、ファンとを備える。本体１１０には少なくとも１つの本体吸気孔１１１及び少なくとも１つの本体排気孔１１２が設けられる。感知器１２０は本体に内設され、少なくとも１つの感知器用吸気孔１２１及び少なくとも１つの感知器用排気孔１２２を含み、本体に吸入される第一ガスＧ１の品質の感知を行う。浄化モジュールは本体に内設され、第一ガスの浄化を行う。ファンは本体に内設され、第一ガスが本体吸気孔から本体内に吸入され、且つ第一ガスが浄化モジュールを通過することで第二ガスＧ２が形成され、その後に第二ガスが本体排気孔から本体に排出される。【選択図】図１
0003204517.tif 000002
【実用新案登録請求の範囲】
【請求項１】
少なくとも１つの本体吸気孔及び少なくとも１つの本体排気孔が設けられる本体と、
前記本体に内設され、且つ少なくとも１つの感知器用吸気孔及び少なくとも１つの感知器用排気孔を有し、前記感知器を通過させる空気の品質の感知を行う感知器と、
前記本体に内設され、前記第一ガスの浄化を行うための浄化モジュールと、
前記本体に内設され、第一ガスが前記少なくとも１つの吸気孔から前記本体内に吸入され、且つ前記第一ガスが前記浄化モジュールを通過させることで第二ガスが形成され、その後に前記第二ガスが前記排気孔から前記本体に排出されるファンと、を備えることを特徴とする、
スマート空気清浄機。
【請求項２】
前記感知器は空気の品質の感知器であり、前記第一ガスの空気の品質の感知を行うことを特徴とする、請求項１に記載のスマート空気清浄機。
【請求項３】
前記第一ガスは拡散方式で前記感知器用吸気孔に吸入されることを特徴とする、請求項１に記載のスマート空気清浄機。
【請求項４】
前記感知器用吸気孔の吸気方向は前記本体吸気孔の吸気方向に垂直になることを特徴とする、請求項３に記載のスマート空気清浄機。
【請求項５】
前記感知器用吸気孔と前記本体吸気孔との距離は１〜５センチメートルの範囲内であることを特徴とする、請求項１に記載のスマート空気清浄機。
【請求項６】
前記本体には複数の本体吸気孔が設けられ、各前記本体吸気孔の孔径の寸法は０．２〜１センチメートルの範囲内であることを特徴とする、請求項１に記載のスマート空気清浄機。
【請求項７】
前記本体の対向し合う二側の上方には本体吸気孔がそれぞれ設けられることを特徴とする、請求項１に記載のスマート空気清浄機。
【請求項８】
前記本体には前記スマート空気清浄機の作業の制御を行うための制御モジュールが内設されることを特徴とする、請求項１に記載のスマート空気清浄機。
【請求項９】
前記制御モジュールはアプリケーションプログラムに結合され、前記アプリケーションプログラムは電子装置に内蔵され、前記アプリケーションプログラムにより前記制御モジュールが制御されて前記スマート空気清浄機の作業の制御を行うことを特徴とする、請求項８に記載のスマート空気清浄機。
【請求項１０】
前記本体排気孔は前記本体の前側に設けられることを特徴とする、請求項１に記載のスマート空気清浄機。
【請求項１１】
前記本体には少なくとも１つの指示ライトが設置されることを特徴とする、請求項１に記載のスマート空気清浄機。
【請求項１２】
前記本体には充電ケーブル接続ポートが設置されることを特徴とする、請求項１に記載のスマート空気清浄機。
【請求項１３】
前記充電ケーブル接続ポートはＵＳＢ充電ケーブル接続ポートであることを特徴とする、請求項１２に記載のスマート空気清浄機。
【考案の詳細な説明】
【技術分野】
【０００１】
本考案は、空気の品質の感知に用いられる感知器が設置され、空気の浄化工程を即時に開始できるスマート空気清浄機に関する。
【背景技術】
【０００２】
中国気象局はスモッグの警報基準を改定し、ＰＭ２．５の指数（＜２．５ｕｍ／ｍ３）を警報を発する重要な指標の一つとして定めた。また、ニューイングランド・ジャーナル・オブ・メディシンによると、ＰＭ２．５（＜２．５ｕｍ）が１０マイクログラム増加する毎に肺癌発生率が１０％増加し、その他各種の癌の発生率も５％増加する。
世界保健機関では、ＰＭ１０が１０μｇ／ｍ３増加する毎に死亡率が０．２‐０．６％増加し、ＰＭ２．５が１０μｇ／ｍ３増加する毎に心肺の疾病による死亡率が６‐１３％増加すると指摘している。大気中の微粒子が人体に与えるダメージは極めて大きく、よって空気清浄機の構造も改良が加えられ続けている。
【考案の概要】
【考案が解決しようとする課題】
【０００３】
しかしながら、空気の品質に関する情報は通常環境省や気象庁等の関係機関により発信されるものを頼りにするため、使用者が即時に空気の品質を知って空気清浄機を起動させるのは難しく、知らないうちに汚染された空気を吸っていることが多い。また、使用者が外に出ている場合、屋内やオフィスに設置された空気清浄機を即時に起動させることができない。
【０００４】
また、市場には数多くの空気清浄機が出回っているが、ＰＭ２．５（ナノメートル級の粉塵、ウィルス、細菌、カビの胞子、ダニの排泄物等の微粒子を含む）を実際に除去できる空気清浄機は少ない。
静電方式集塵機は微粒子の高い除去効率、省エネ、低い圧力損失及びフィルターレス等の特性を有し、将来空気清浄機の主流になることが予想される。しかし、埃と電極との接触時間が長くなるため、携帯用に設計するのは困難である。
【０００５】
さらに、現在の工業用或いは一般家庭用の空気清浄機は、通常体積が大きく、高価格であるのみならず、空間を大きく占領した。また、現在の工業用或いは一般家庭用の空気清浄機の多くは多片式ないしはハニカム構造により埃と電極との接触時間を増加させているが、多片式及びハニカム構造はどちらも使用者が掃除やメンテナンスを行うのが難しかった。
【０００６】
そこで、本考案者は上記の欠点が改善可能と考え、鋭意検討を重ねた結果、即時に有効に空気の品質の感知を行い、空気清浄機をすぐに起動でき、体積が小さく軽くて携帯に便利であり、操作も簡単で低コストである等の長所を有するガス清浄機を提供し、上記の課題を効果的に改善する本考案の提案に到った。
【０００７】
本考案は、上述のような従来の問題を解決するためになされたもので、上記課題解決のため、本考案は、スマート空気清浄機を提供することを主目的とする。
【課題を解決するための手段】
【０００８】
上述した課題を解決し、目的を達成するための本考案に係るスマート空気清浄機は、少なくとも１つの本体吸気孔及び少なくとも１つの本体排気孔が設けられる本体と、前記本体に内設され、且つ少なくとも１つの感知器用吸気孔及び少なくとも１つの感知器用排気孔を有し、前記感知器を通過させる空気の品質の感知を行う感知器と、前記本体に内設され、前記第一ガスの浄化を行うための浄化モジュールと、前記本体に内設され、第一ガスが前記少なくとも１つの吸気孔から前記本体内に吸入され、且つ前記第一ガスが前記浄化モジュールを通過させることで第二ガスが形成され、その後に前記第二ガスが前記排気孔から前記本体に排出されるファンとを備えることを特徴とする。
【考案の効果】
【０００９】
本考案スマート空気清浄機は、空気の品質の感知を行う感知器を有し、且つ使用者の手持ち式電子装置のアプリケーションプログラムに組み合わせられ、清浄機が即時に起動でき、空気をすぐに浄化させる効果を達成できる。
また、体積が小さく軽くて携帯に便利であり、操作しやすく、低コストである等の特徴を更に有する。
【図面の簡単な説明】
【００１０】
【図１】本考案の第１実施形態によるスマート空気清浄機の正面構成を示す概念図である。
【図２】本考案の第１実施形態によるスマート空気清浄機の右側構成を示す概念図である。
【図３】本考案の第１実施形態によるスマート空気清浄機のＡ−Ａ線断面の拡大構成を示す概念図である。
【図４】本考案のガスの流れる方向を示す概念図である。
【考案を実施するための形態】
【００１１】
以下に図面を参照して、本考案を実施するための形態について、詳細に説明する。なお、本考案は、以下に説明する実施形態に限定されるものではない。
【００１２】
（第１実施形態）
本考案の第１実施形態によるスマート空気清浄機１００は、本体１１０と、本体１１０に内設される感知器１２０と、浄化モジュール１３０と、ファン１４０とを備える（図１乃至図３参照）。
【００１３】
本体１１０の対向し合う左右の二側の上方には本体１１０を貫通させる複数の本体吸気孔１１１がそれぞれ設けられる。図２には本体１１０の右側に位置される本体吸気孔１１１のみを図示する。本体吸気孔１１１の孔径の寸法は０．２〜１センチメートルの範囲内であり、その形状に制限はなく、例えば図２に図示する本体吸気孔１１１は矩形及び半円形を呈する。
本体１１０の外部に位置する第一ガスＧ１は拡散方式或いはファン１４０の動作により発生する吸入作用により本体吸気孔１１１を経て本体１１０内に吸入される。本体１１０の前側には本体１１０を貫通させる複数の本体排気孔１１２が設けられ、本体１１０内に位置される第二ガスＧ２はファン１４０の動作で発生する推進作用により本体排気孔１１２から本体１１０の外に排出される。本体１１０の右側の底部には凹部１１３が形成され、凹部１１３にはＵＳＢ充電ケーブル接続ポート１１４が設置され、ＵＳＢ充電ケーブル接続ポート１１４にはＵＳＢ充電ケーブルが接続され、外部電源を本体１１０内に設置される制御モジュール１１５に接続させる。
制御モジュール１５は感知器１２０、浄化モジュール１３０及びファン１４０に電気的に接続され、スマート空気清浄機１００の作業の制御を行う。一般的には、制御モジュール１１５は制御器、制御回路及び充電池を備える。ＵＳＢ充電ケーブルが接続されることで充電池（例えば、充電式リチウム電池）に対して充電が行われ、凹部１１３はケーブルトレイとして使用され、ＵＳＢ充電ケーブルを通過させる。説明が必要な点は、他の形式の充電ケーブル接続ポートが採用されてもよく、ＵＳＢ充電ケーブル接続ポート１１４に限定されない点である。
また、本体１１０の前側には複数の指示ライト１１６及び指示ライト１１７が設置され、目的に合わせて異なる指示ライト１１６及び指示ライト１１７が設置されて異なる指示機能を有し、例えば、指示ライト１１６が電源指示ライトとなり、指示ライト１１７が電池残量の指示ライトとなる。指示ライト１１６及び指示ライト１１７の形式及び色に制限はなく、例えば、本実施形態では、１つの指示ライト１１６は電源スイッチ１１８を包囲させるように環状になり、もう１つの指示ライト１１７は円形である。
【００１４】
感知器１２０は本体吸気孔１１１から本体１１０に吸入される第一ガスＧ１の品質の感知に用いられる。感知器１２０は感知器用吸気孔１２１及び感知器用排気孔１２２を備える。感知器用吸気孔１２１及び感知器用排気孔１２２の位置に制限はなく、本実施形態では、感知器用吸気孔１２１は感知器１２０の上部に位置され、感知器用排気孔１２２は感知器１２０の底部に位置され、感知器用吸気孔１２１の吸気方向Ｆ２は本体吸気孔１１１の吸気方向Ｆ１に垂直になり、感知器用吸気孔１２１と本体吸気孔１１１との距離Ｄは１〜５センチメートルの範囲内である。
なお、図１及び図４に示すように、第一ガスＧ１は拡散方式により感知器用吸気孔１２１に吸入され、或いはファン１４０により吸入されて本体吸気孔１１１及び感知器用吸気孔１２１を経て感知器１２０に吸入され、その後に感知器用排気孔１２２から感知器１２０の外に排出される。
【００１５】
浄化モジュール１３０は本体吸気孔１１１から本体１１０に吸入され、感知器用排気孔１２２から排出される第一ガスＧ１の浄化に用いられる。感知器１２０の種類に制限はなく、浄化する成分の違いに合わせることができ、例えば、空気の品質の感知器により第一ガスＧ１の空気の品質の感知を行う。浄化モジュール１３０の態様にも制限はなく、例えば、静電方式浄化モジュールや他の形式の浄化モジュールでもよい。
【００１６】
さらに、図４を参照して、本考案の作動方式をより具体的に説明する。使用者は電源スイッチ１１８を押すことでスマート空気清浄機１００のオンとオフを切り換える。使用者が周囲の環境の空気が悪いと感じた場合、スマート空気清浄機１００を起動させる。
ファン１４０により第一ガスＧ１が本体吸気孔１１１から本体１１０内に吸入され、且つ第一ガスＧ１が浄化モジュール１３０を通過させることで第二ガスＧ２が形成され、その後に第二ガスＧ２が本体排気孔１１２から本体１１０に排出される。即ち、例えば、第一ガスＧ１は微粒子が漂う汚れた空気であり、浄化モジュール１３０を通過させた後、浮遊する微粒子が除去されて清浄な空気が形成される。
【００１７】
前述のように、本体１１０には制御モジュール１１５が内設され、制御モジュール１１５はアプリケーションプログラムに結合され、アプリケーションプログラムは使用者の携帯電話等の電子装置に内蔵され、ブルートゥース（登録商標）によりスマート空気清浄機１００とペアリングされる。使用者は携帯電話を利用して空気の品質の感知を行った結果のデータを読み取って分析を行い、使用者は携帯電話を利用してスマート空気清浄機１００の設定やオンとオフの切り換えを行う。
また、感知器１２０により感知された空気の品質のデータは携帯電話に即時表示され、これにより、使用者の携帯電話に表示された空気の品質が好ましくない場合、スマート空気清浄機１００をすぐに起動させて作業を行わせる。このほか、アプリケーションプログラムによりクラウドにデータを記録させ、制御モジュール１１５により設定された時間（例えば、１０分間毎）に感知器１２０が感知させた空気の品質のデータ（例えば、ＰＭ２．５）の記録を行い、携帯電話或いはスマートデバイスとのブルートゥースを通したペアリングを行い、制御モジュール１１５内のデータが読み取られ、且つ設定された時間（例えば、１時間毎）にクラウドにアップロードされる。使用者がスマート空気清浄機１００を毎回一定時間使用した後、空気の品質が改善されてから快適と感じる状態までがパーソナルな快適な状態の範囲と設定される。
【００１８】
上述したように、本考案で提供するスマート空気清浄機は、空気の品質の感知を行う感知器を有し、且つ使用者の手持ち式電子装置のアプリケーションプログラムと組み合わせられて、清浄機が即時に起動でき、即時の空気の浄化効果を達成させる。また、体積が小さく軽くて携帯しやすく、操作もしやすく、低コストである等の特徴を更に有する。
【００１９】
上述の実施形態は本考案の技術思想及び特徴を説明するためのものにすぎず、当該技術分野を熟知する者に本考案の内容を理解させると共にこれをもって実施させることを目的とし、本考案の請求の範囲を限定するものではない。従って、本考案の精神を逸脱せずに行う各種の同様の効果をもつ改良又は変更は、後述の請求項に含まれるものとする。
【符号の説明】
【００２０】
１００  スマート空気清浄機
１１０  本体
１１１  本体吸気孔
１１２  本体排気孔
１１３  凹部
１１４  ＵＳＢ充電ケーブル接続ポート
１１５  制御モジュール
１１６、１１７  指示ライト
１１８  電源スイッチ
１２０  感知器
１２１  感知器用吸気孔
１２２  感知器用排気孔
１３０  浄化モジュール
１４０  ファン
Ｄ  距離
Ｆ１、Ｆ２  吸気方向
Ｇ１  第一ガス
Ｇ２  第二ガス
【図１】
0003204517.tif 000003
【図２】
0003204517.tif 000004
【図３】
0003204517.tif 000005
【図４】
0003204517.tif 000006